(57)【特許請求の範囲】
【請求項１】
排水管の開口部に挿入される管体と、加圧液体を排水管内に導入するために管体の末端部に接続される導液管とを備えて成り、管体はゴム材で一体に形成され、管体の先端部には噴液孔が貫通して形成され、管体の他端側開口には前記導液管と接続するための継手部材が封着されていて、管体の外周面部が、管体内への加圧液体の導入により弾性変形し管体径方向外向きに膨張して排水管の内周面に密着する構成にされており、管体の先端部が管体の外周面部の肉厚よりも筒心方向に厚肉に形成され、且つ、先端部に貫通して形成された噴液孔の孔径が継手部材の導液孔の孔径よりも小さな径に設定されていることを特徴とする通管用具。
【請求項２】
継手部材は、管体の外周面に装着された固定用部材により管体に固定され、管体の他端側には固定用部材による固定位置から延在する延在部が形成され、この延在部が折り返されて固定用部材を被う構成にされていることを特徴とする請求項１に記載の通管用具。
【請求項３】
請求項１または請求項２に記載の通管用具における管体を、詰まりを除去しようとする排水管の開口部から挿入し、導液管からの加圧液体の導入により管体の外周面部を膨張させ排水管の内周面に密着させて管体の外周面部と排水管の内周面との隙間を封止するとともに、管体の噴液孔から加圧液体を排水管内に噴出させることを特徴とする通管方法。
【発明の詳細な説明】
【技術分野】
【０００１】
本発明は、排水管の詰まりを除去して排水管を貫通させる通管用具、およびこれを用いた通管方法に関するものである。
【背景技術】
【０００２】
一般に、家庭などで排水管が詰まると、ワイヤを排水管に挿入し詰まりをワイヤで突いて除去するようにしている。ところが、このようにワイヤを用いると、ワイヤを引き抜くときに汚水が垂れて周囲を汚すことがある。また、ワイヤでは届く距離に限りがあり、しかも短い場合が多い。更に、ワイヤは排水管の曲がり部分から先へ進まないことがある。
【０００３】
そこで、下記の特許文献１に記載された通管用具が本発明者により開発されている。この通管用具は、詰まりを除去しようとする排水管の開口部へ先端部が挿入される管体と、加圧液体を排水管へ導入するために管体に接続された導液管と、管体の先端部の外周に設けられ、圧縮流体の導入により管体径方向外向きに膨張して排水管の内周面に密着する袋体とを備えている。
【先行技術文献】
【特許文献】
【０００４】
【特許文献１】特開２００１−１４６７８２号公報
【発明の概要】
【発明が解決しようとする課題】
【０００５】
前記した特許文献１記載の通管用具によれば、排水管の開口部に管体の先端部を挿入し、圧縮流体を袋体に導入させて膨らませることにより排水管の開口部を封止する。その状態で、排水管内へ加圧液体を導入することにより、排水管の管通しを行うようになっている。
しかしながら、特許文献１記載の通管用具では、管体と排水管内周面との間を密封する作用が空気などの圧縮流体によるものであり、排水管内の詰まりを除去する作用が排水管内に導入された水などの加圧液体によるものであるので、互いに異なる流体とそれぞれ専用の導入部品を必要とする。そのため、構成が複雑で製造コストが高くなり、作業時の取扱いにも手間がかかるという不具合があった。
【０００６】
本発明は、上記した従来の問題点に鑑みてなされたものであって、極めて簡素かつ安価な構成により、簡単な操作により詰まりを除去して排水管の管通しを行うことのできる通管用具および通管方法の提供を目的とする。
【課題を解決するための手段】
【０００７】
上記目的を達成するために、本発明に係る通管用具は、排水管の開口部に挿入される管体と、加圧液体を排水管内に導入するために管体の末端部に接続される導液管とを備えて成り、管体はゴム材で一体に形成され、管体の先端部には噴液孔が貫通して形成され、管体の他端側開口には前記導液管と接続するための継手部材が封着されていて、管体の外周面部が、管体内への加圧液体の導入により弾性変形し管体径方向外向きに膨張して排水管の内周面に密着する構成にされており、管体の先端部が管体の外周面部の肉厚よりも筒心方向に厚肉に形成され、且つ、先端部に貫通して形成された噴液孔の孔径が継手部材の導液孔の孔径よりも小さな径に設定されているものである。
【０００８】
また、前記構成において、継手部材は、管体の外周面に装着された固定用部材により管体に固定され、管体の他端側には固定用部材による固定位置から延在する延在部が形成され、この延在部が折り返されて固定部材を被う構成にされているものである。
【０００９】
そして、本発明に係る通管方法は、 請求項１または請求項２に記載の通管用具における管体を、詰まりを除去しようとする排水管の開口部から挿入し、導液管からの加圧液体の導入により管体の外周面部を膨張させ排水管の内周面に密着させて管体の外周面部と排水管の内周面との隙間を封止するとともに、管体の噴液孔から加圧液体を排水管内に噴出させる構成にしてある。
【発明の効果】
【００１０】
本発明に係る通管用具および通管方法によれば、排水管の開口部に管体をその先端部から挿入すれば、地面上でコックなどの開閉操作をすることができる。これにより、加圧液体で膨らむ管体の外周面部により排水管内を封止でき、同時に排水管内に加圧液体を導入することもできる。従って、家庭でも手軽、迅速、かつ、確実に排水管の管通しができる。また、排水管の開口部から詰まりまでの距離が比較的長い場合や、排水管に曲がり部分がある場合であっても、加圧液体の作用によって詰まりを除去することができる。特に、本発明によれば、ひとつの加圧液体だけで、管体を膨張させて排水管内を密封する作用と、排水管内に加圧液体を送り込む作用の双方を呈することができる。そのため、流体を扱う部品が一系統だけで済むので、構成が簡素で安価になり小型・軽量のものとなる。更には、例えば管体の管内空間内の液圧が所定圧以上となったときに開弁するボール弁およびコイルスプリング付きの圧力調整弁などを管体の噴液孔に配備していないので、なおさら簡素で安価になる。従って、本発明は比較的小径の排水管に用いる通管用具として好適である。また、一系統の弁開閉操作だけで済むので使い勝手がよい。
【００１１】
また、管体の他端側に形成された延在部が折り返されて固定用部材を被うように構成されたものでは、金属で構成されていることの多い、固定用部材がゴム材製の管体の延在部で被われるので、管体を排水管内に差し込んだときに、排水管の内周面が固定用部材で直に擦られて、管内周面に付着していた汚れが掻き落とされたり、排水管自体に傷が付いたりすることを防止できる。
【図面の簡単な説明】
【００１２】
【図１】本発明の実施形態１に係る通管用具を示す外観図である。
【図２】前記通管用具の管体ユニットを示す側断面図である。
【図３】前記通管用具の管体ユニットを示し、（ａ）は分解側断面図、（ｂ）は（ａ）におけるＡ−Ａ線矢視図である。
【図４】前記の通管用具を排水管に挿入した状態を示す要部断面図である。
【図５】前記の通管用具により排水管の詰まりを取り除く一連の状態を示し、（ａ）は加圧液体の導入により管体の外周面部が膨張し始めた状態を示す要部断面図、（ｂ）は管体の外周面部が膨張しきった状態を示す要部断面図、（ｃ）は管体の噴液孔から導入された加圧液体が排水管内にほぼ充満した状態を示す要部断面図、（ｄ）は排水管内の詰まりが除去された状態を示す要部断面図である。
【図６】本発明の実施形態２に係る通管用具の管体ユニットを示し、（ａ）は側断面図、（ｂ）は固定用部材を延在部で被った状態を示す側断面図である。
【発明を実施するための形態】
【００１３】
本発明の実施形態を図面に基づいて説明する。尚、以下に述べる実施形態は本発明を具体化した例に過ぎず、本発明の技術的範囲を限定するものでない。
「実施形態１．」
図１は本発明の実施形態１に係る通管用具を示す外観図、図２は前記通管用具の管体ユニットを示す側断面図、図３は前記通管用具の管体ユニットを示し、（ａ）は分解側断面図、（ｂ）は（ａ）におけるＡ−Ａ線矢視図である。
各図において、この実施形態に係る通管用具１は、排水管に挿入される管体ユニット２と、管体ユニット２の末端部にニップル４を介して接続される導液管３とから構成されている。管体ユニット２は、ゴム材を原材料とし金型などを用いて有底円筒形状に一体成型された管体７と、管体７に装着される継手部材１６と、管体７の外周面１１Ａに装着されて継手部材１６を固定する固定用部材４０とから構成されている。
【００１４】
前記の管体７は、底面となる先端部８が筒心方向に厚肉に形成されている。先端部８の正面視中央部分には孔径ｄ１の噴液孔９が管心方向に貫通して形成され、管体７の他端は他端側開口１０となっている。管体７の他端の外周部全周にわたり、固定用部材４０を位置決めするための周鍔部１５が外向きに突出して形成されている。管体７の内周面１２の他端寄りには、継手部材１６を係止するための内周突起１４が内周面全周にわたり内向きに突出して形成されている。
【００１５】
管体７の各所寸法は特に限定されないが、例えば長さが１１５ｍｍ、先端部８の外径が３０ｍｍ、他端側の外径が３５ｍｍにされている。また、噴液孔９の孔径ｄ１は、継手部材１６の導液孔１７の孔径ｄ２よりも小さな径に設定されている。すなわち、例えば噴液孔９の孔径ｄ１が５ｍｍ、継手部材１６の導液孔１７の孔径ｄ２が１０ｍｍに設定されている。因みに、管内径が４０ｍｍまたは６５ｍｍの排水管２４に通管用具１を用いる場合、管体７の外径を２８〜６０ｍｍ程度とし、噴液孔９の孔径ｄ１を３〜８ｍｍ程度とし、継手部材１６の導液孔１７の孔径ｄ２を８〜１５ｍｍ程度にするとよい。管体７の外周面部１１の肉厚は１．０〜２．５ｍｍ程度である。
【００１６】
管体７を構成するゴム材として、この例では、軟質のネオプレン／クロロプレンゴムであるＣＲ４５が使用されている。このネオプレン／クロロプレンゴム（ＣＲ）は、耐油性、耐候性、耐熱性に富み、比較的安価で入手容易であることから、管体７の素材として好適である。但し、本発明の管体に用いるゴム材としては、ネオプレン／クロロプレンゴムに替えて、例えば、天然ゴム（ＮＲ）、ニトリルゴム（ＮＢＲ）、水素化ニトリルゴム（ＨＮＢＲ）、エチレン−プロピレンゴム（ＥＰＤＭ）、ブチルゴム（ＢＲ）、またはスチレンブタジエンゴム（ＳＢＲ）などを使用することも可能である。
【００１７】
前記の継手部材１６は、例えばポリ塩化エステルビニルなどの合成樹脂を原材料として形成され、正面視中央部分に孔径ｄ２の導液孔１７が管心方向に貫通して形成されている。継手部材１６の他端は、ニップル４の雄ネジ部と螺合する雌ネジ部１８となっており前記の導液孔１７と連通している。継手部材１６の外周面全周にわたり、管体７の内周突起１４と係脱可能に係合する外周溝部１９が内向きに陥没して形成されている。そして、前記の固定用部材４０は、例えば管体７の外周面１１Ａに巻き付け装着されるステンレス鋼板製バンド２０と、ステンレス鋼板製バンド２０に形成されているネジ穴（図示省略）を通されて継手部材１６の外周部にねじ込まれる止めネジ２１とから構成されている。そして、継手部材１６の雌ネジ部１８にニップル４の一方の雄ネジ部が螺止され、ニップル４の他方の雄ネジ部に導液管３の一端が接続される。
【００１８】
引続き、上記した構成の通管用具１による排水管２４の通管方法を、図４および図５を用いて説明する。この場合において、通水用具１の導液管３の他端は、
逆止弁付きのコック５、ニップル６および導液管２７を介して蛇口２８に接続される。蛇口２８は導液管２９を介して加圧液体Ｗ（ここでは、例えば圧力が０．１〜０．２ＭＰａ 程度の水道水）の供給源と接続されている。そして、詰まり２６を除去しようとする排水管２４は、その開口部２５が会所桝２３内で地面２２から深い位置に露出している例を示している。
この通管方法は、詰まり２６を除去しようとする排水管２４の開口部２５に、通管用具１の管体ユニット２を挿入するステップ１と、蛇口２８およびコック５を開いて導液管３からの加圧液体Ｗを継手部材１６の導液孔１７から管体７の管内空間１３内に導入するステップ２とを有している。
【００１９】
そこで、まずステップ１として、作業者が管体ユニット２の管体７の先端部８を排水管２４の開口部２５から挿入する（図４）。次に、ステップ２として、作業者が蛇口２８およびコック５を開ける。すると、導液管２９からの加圧液体Ｗがコック５および導液管３を経て管体７の管内空間１３に導入される。これにより、管体７の内周面１２が管体径方向外向き（図５（ａ）中の矢印Ｅ，Ｅ方向）に押圧され、外周面部１１が膨張して弾性変形する。その結果、管体７の外周面部１１が排水管２４の内周面３５に密着して、管体７の外周面部１１と排水管２４の内周面３５との間の隙間３４（図４参照）を無くし、排水管２４内の空間３０を密封する。このときも、同時に加圧液体Ｗが管体７の噴液孔９から排水管２４の空間３０内に噴き出している。これにより、加圧液体Ｗが排水管２４の空間３０内に流入して、空間３０内の圧力が高くなっていく（図５（ｂ））。そのうち、加圧液体Ｗが排水管２４の空間３０内に充満すると、加圧液体Ｗの元圧により空間３０内の圧力は更に高くなっていく（図５（ｃ））。そして、加空間３０内で上昇する圧力に耐えかねて、詰まり２６が矢印Ｆ方向に流されるのである（図５（ｄ））。この通管作業にかかる時間は、蛇口２８およびコック５の開放から詰まり２６の流出までにわずか１分間程度である。しかも、通管成功率は１００％に近いものであった。
【００２０】
上記したように、この実施形態に係る通管用具１、およびこれを用いた通管方法は、排水管２４の開口部２５に管体２の先端部３を挿入しさえすれば、あとは地面２３上でコック５および蛇口２８の開閉操作をするだけで済む。これにより、排水管２４内が加圧液体Ｗで膨らむ管体７の外周面部１１により封止されるとともに、管体７の噴液孔９から排水管２４内へ加圧液体Ｗが導入される。
【００２１】
従って、この通管用具１によれば、専門技術者でなくても一般家庭の人でも、手軽に、迅速に、あるいは確実に、排水管２４の管通しを行うことができる。因みに、多くの場合、この管体ユニット２の挿入後、蛇口２８およびコック５の開栓後、わずか１分間程度で詰まり２６を除去することができる。また、排水管２４の開口部２５から詰まり２６までの距離が長い場合や、排水管２４に曲がり部分がある場合であっても、加圧液体Ｗが作動源となっているから、詰まり除去動作にはほとんど影響しない。
【００２２】
特に、この通管用具１では、ひとつの流体（加圧液体Ｗ）だけで、管体７を膨張させて排水管２４内を密封する作用と、排水管２４内に加圧液体Ｗを送り込む作用の、双方を呈することができる。そのために、流体を扱う部品が一系統だけで済むから、構成が簡素で安価になり小型・軽量のものとなる。更には、例えば管体７の管内空間１３内の液圧が所定圧以上となったときに開弁するボール弁およびコイルスプリング付きの圧力調整弁などを、管体７の噴液孔９に配備していないので、なおさら簡素で安価になる。従って、通管用具１は比較的小径の排水管に用いる通管用具として好適である。また、一系統の弁操作だけで済むので使い勝手がよい。
【００２３】
一方で、排水管２４への管体７の挿入に先立って、排水管２４内に予め氷片やスポンジ小片を投入しておくと、詰まり２６に存在する漏水可能な微小隙間を、加圧液体Ｗによる加圧時に氷片やスポンジ小片が塞いで加圧ロスを少なくする。特に、スポンジ小片は弾力性に富み水を含むと通気しにくくなるため、詰まりの微小隙間を十分に塞ぐ。そして、用済み後に氷片は融けて無害な水となるため、後処理の手間をかけることがない。また、氷片はどの家庭でも容易に調達できるという利点がある。
【００２４】
「実施形態２．」
尚、上記の実施形態１では、管体７の他端側開口１０の開口端に、継手部材１６の他端部を位置合わせして装着した管体ユニット２を例示したが、本発明はそれに限定されるものでなく、例えば図６（ａ）に示すような管体ユニット２Ａも含む。この管体ユニット２Ａは、他端外周部に周鍔部１５（図２参照）を持たない管体７Ａと、実施形態１で述べた継手部材１６と、実施形態１で述べた固定用部材４０とから構成されている。管体７Ａの他端側には、固定用部材４０による継手部材１６Ａの固定位置を境に管体７の先端部８から離れる方向に延在する延在部３１が形成されている。延在部３１の他端縁は筒開口３２となっている。
【００２５】
この管体ユニット２Ａによれば、延在部３１の筒開口３２が固定用部材４０の外方にまわされて、延在部３１が折返し部３３の位置で折り返されることにより、図６（ｂ）に示すように、延在部３１が裏返されて固定用部材４０を被う。これにより、金属で構成されているステンレス鋼板製バンド２０や止めネジ２１が、ゴム材製の管体７Ａの延在部３１で被われる。従って、管体ユニット２Ａを排水管２４内に差し込んだときに、排水管２４の内周面がステンレス鋼板製バンド２０や止めネジ２１で直に擦られて、管内周面に付着していた汚れが掻き落とされたり、排水管２４自体に傷が付いたりすることを防止できる。また、管体ユニット２Ａ表面のほとんどに柔らかいゴム材が表れるので、手触りや見た目が柔らかいことから、作業者も扱い易くなる。
【００２６】
尚、本発明の管体や導液管に関するそれぞれの形状や接続態様は、上述した実施形態のものに限らない。また、本発明に適用される加圧液体としては、入手容易、安価、安全、後処理容易などの観点から水が最も好ましいが、水以外に例えば、植物油、グリセリン、エチレングリコールその他の安全な液体を用いても構わない。
【符号の説明】
【００２７】
１  通管用具
２，２Ａ  管体ユニット
３  導液管
５  コック
７，７Ａ  管体
８  先端部
９  噴液孔
１０  他端側開口
１１  外周面部
１１Ａ  外周面
１６  継手部材
１７  導液孔
２０  ステンレス鋼板製バンド
２１  止めネジ
２４  排水管
２５  開口部
２６  詰まり
３１  延在部
３３  折返し部
３５  内周面
４０  固定用部材
Ｅ  矢印
Ｗ  加圧液体
【図１】
0005478541.tif 000002
【図２】
0005478541.tif 000003
【図３】
0005478541.tif 000004
【図４】
0005478541.tif 000005
【図５】
0005478541.tif 000006
【図６】
0005478541.tif 000007